(57)【要約】【課題】  効率のよい冷却を低コストで実現するディスクアレイ装置の風量調整機構を提案する。【解決手段】  本発明のディスクアレイ装置の風量調整機構（５０）は、キャニスタを複数搭載するディスクアレイ装置に流れる風量を調整するための風量調整機構であって、複数のキャニスタの空きスロットを被覆するための風量調整シート（５１）と、風量調整シート（５１）の展開長を調整するシート展開長調整機構（５２）とを備える。【選択図】      図７
2006294079.tif 000002
【特許請求の範囲】
【請求項１】
キャニスタを複数搭載するディスクアレイ装置に流れる風量を調整するための風量調整機構であって、
複数のキャニスタの空きスロットを被覆するための風量調整シートと、
前記風量調整シートの展開長を調整するシート展開長調整機構と、
を備える、ディスクアレイ装置の風量調整機構。
【請求項２】
請求項１に記載のディスクアレイ装置の風量調整機構であって、
前記風量調整シートには、前記空きスロットに前記キャニスタが実装されているときにキャニスタ相互間に流れる風量と同程度の風量を流すための通風孔が形成されている、ディスクアレイ装置の風量調整機構。
【請求項３】
請求項２に記載のディスクアレイ装置の風量調整機構であって、
前記通風孔は、前記空きスロットに近づく程、前記風量調整シートを透過する風量が少なくなるように形成されている、ディスクアレイ装置の風量調整機構。
【請求項４】
請求項１に記載のディスクアレイ装置の風量調整機構であって、
前記風量調整シートのばたつきを抑制するための係止機構を更に備える、ディスクアレイ装置の風量調整機構。
【請求項５】
請求項１に記載のディスクアレイ装置の風量調整機構であって、
前記風量調整シートは、導電性シートから成る、ディスクアレイ装置の風量調整機構。
【請求項６】
論理基板を複数搭載するディスクアレイ装置に流れる風量を調整するための風量調整機構であって、
前記論理基板の空きスロットを被覆するための風量調整シートと、
前記風量調整シートの展開長を調整するシート展開長調整機構と、
を備える、ディスクアレイ装置の風量調整機構。
【請求項７】
給電ボックスを複数搭載するディスクアレイ装置に流れる風量を調整するための風量調整機構であって、
前記給電ボックスの空きスロットを被覆するための風量調整シートと、
前記風量調整シートの展開長を調整するシート展開長調整機構と、
を備える、ディスクアレイ装置の風量調整機構。
【発明の詳細な説明】
【技術分野】
【０００１】
本発明はディスクアレイ装置の風量調整機構に関する。
【背景技術】
【０００２】
近年、アレイ状に配置された複数のディスクドライブを備えるディスクアレイ装置においては、ＨＤＤユニット（キャニスタ）、各種の論理基板、給電ボックス等の高密度実装が進み、更に、消費電力及び発熱量も増加の一途を辿っている。増加する発熱に対する対策として、ファン容量の大型化が進んでいるが、ディスクアレイ装置の高密度実装の影響で管路抵抗が増大しており、十分な冷却効果を得ることができていない。管路抵抗の増大による冷却風の衰弱を打ち消すためにファン容量を増大させる結果、高騒音化、高消費電力化に拍車がかかっているのが現状である。
【０００３】
ところで、ディスクアレイ装置に搭載されるキャニスタ、論理基板、給電ボックスなどは、ディスクアレイ装置を使用する顧客が要求するスペックに応じてその搭載数が変わるので、必ずしも、搭載可能最大数のキャニスタ、論理基板、給電ボックス等が搭載されるとは限らず、空きスロットが生じる場合がある。空きスロットの箇所は、キャニスタ等が僅かな隙間を隔てて高密度実装されている箇所よりも空気抵抗が極めて少ないので、空きスロットを開放しておくと、ディスクアレイ装置を流れる冷却風が空きスロットに集中して流れ込んでしまうため、十分な冷却効果が得られない。
【０００４】
このような事情に鑑み、従来では、空きスロットに流れる風量を調整する手段として、ディスクアレイ装置の空きスロットに各種のダミーユニットを実装する手法が知られている。例えば、キャニスタの空きスロットにはダミーキャニスタを搭載し、論理基板や給電ボックスの空きスロットをダミーカバーで被覆する等の措置を講じている。
【０００５】
尚、光ディスク装置の空きスロットに光ディスクのダミー蓋を取り付ける技術として、例えば、特開２００２−１１７６６３号公報が知られている。
【特許文献１】特開２００２−１１７６６３号公報
【発明の開示】
【発明が解決しようとする課題】
【０００６】
しかし、ディスクアレイ装置のように、キャニスタ、論理基板、給電ボックス等の搭載可能数が非常に多く、しかも、顧客の使い方によって、多数の空きスロットが生じる場合には、空きスロットに搭載するためのダミーユニットも多数必要になるので、以下の問題が生じ得る。
【０００７】
例えば、キャニスタを搭載するためのスロットは、基本筺体で最大１２８、増設筺体で最大２５６と非常に多く、しかも、ダミーユニットの製造コスト及びディスクアレイ装置への搭載作業にかかる工数が膨大である。
【０００８】
また、ダミーユニットはプラスチック製又は板金製であるので、多数のダミーユニットを保管するには、広い保管スペースが必要とされる。例えば、ダミーキャニスタは、横幅３０ｍｍ×高さ１３０ｍｍ×奥行き１２０ｍｍであり、これを２５６個保管するには、３００ｍｍ×３００ｍｍ×４５０ｍｍ程度の大きさのダンボール箱が３箱〜４箱必要である。
【０００９】
また例えば、製品出荷前の装置試験等でキャニスタをスロットに頻繁に出し入れする必要があり、同時にダミーキャニスタも頻繁に出し入れする関係上、作業工数が膨大になってしまう。
【００１０】
更に、板金製のダミーキャニスタは、重量が重いので、ディスクアレイ装置に搭載すると、耐震性能に影響を与えてしまう。例えば、論理基板のスロットにダミーカバーを搭載すると、ディスクアレイ装置一台あたり１０ｋｇ程度重量が増大する。
【００１１】
本発明は、上記の問題点に鑑みてなされたもので、本発明の目的は、効率のよい冷却を低コストで実現するディスクアレイ装置の風量調整機構を提案することにある。
【課題を解決するための手段】
【００１２】
上記の課題を解決するため、本発明のディスクアレイ装置の風量調整機構は、キャニスタを複数搭載するディスクアレイ装置に流れる風量を調整するための風量調整機構であって、複数のキャニスタの空きスロットを被覆するための風量調整シートと、風量調整シートの展開長を調整するシート展開長調整機構とを備える。かかる構成により、複数のキャニスタの空きスロットを被覆し、そこに流れる冷却風の風量を調整できるので、ダミーキャニスタが不要となり、低コストを実現できる。
【００１３】
風量調整シートには、例えば、空きスロットにキャニスタが実装されているときにキャニスタ相互間に流れる風量と同程度の風量を流すための通風孔を形成するのが望ましい。これにより、空きスロットにダミーキャニスタが実装されているのと同様の冷却効果を得ることができる。
【００１４】
例えば、通風孔は、空きスロットに近づく程、風量調整シートを透過する風量が少なくなるように形成するのが望ましい。これにより、風量調整シートを透過する冷却風の風量を均一化できる。
【００１５】
また例えば、風量調整シートのばたつきを抑制するための係止機構を更に備えた構成でもよい。これにより、風量調整シートのばたつきによる騒音の発生等を抑制できる。
【００１６】
また例えば、風量調整シートは、導電性シートで構成してもよい。これにより、ディスクアレイ装置の電磁遮蔽効果を高めることができる。
【００１７】
本発明の他の観点に従うディスクアレイ装置の風量調整機構は、論理基板を複数搭載するディスクアレイ装置に流れる風量を調整するための風量調整機構であって、論理基板の空きスロットを被覆するための風量調整シートと、風量調整シートの展開長を調整するシート展開長調整機構とを備える。
【００１８】
更に、本発明の他の観点に従うディスクアレイ装置の風量調整機構は、給電ボックスを複数搭載するディスクアレイ装置に流れる風量を調整するための風量調整機構であって、給電ボックスの空きスロットを被覆するための風量調整シートと、風量調整シートの展開長を調整するシート展開長調整機構とを備える。
【発明の効果】
【００１９】
本発明の風量調整機構によれば、効率のよい冷却を低コストで実現できる。
【発明を実施するための最良の形態】
【００２０】
以下、各図を参照しながら本発明の実施形態について説明する。
図１は本実施形態のディスクアレイ装置１０の基本筺体の全体斜視図を示している。図２はＨＤＤボックス２０の斜視図を示している。図３は論理基板ボックス３０の斜視図を示している。図４は給電ボックス４０の斜視図を示している。図５はディスクアレイ装置１０の断面図を示している。
【００２１】
図１に示すように、ディスクアレイ装置１０は、主に、ＨＤＤボックス２０、論理基板ボックス３０、及び給電ボックス４０から構成されている。これらの各ボックス２０，３０，４０は、ディスクアレイ装置１０の主要骨格を成すラック状のフレーム１１に搭載される。フレーム１１の上段にはＨＤＤボックス２０が搭載され、中段には論理基板ボックス３０が搭載され、下段には給電ボックス４０が搭載される。重量の重い給電ボックス４０をディスクアレイ装置１０の下部に配置することで、ディスクアレイ装置１０全体の低重心を実現している。
【００２２】
図２に示すように、ＨＤＤボックス２０は、上位装置（図示せず）との間で入出力されるデータを格納するキャニスタ２１を複数搭載するためのボックスである。キャニスタ２１は、コネクタ方式でＨＤＤボックス２０の背面基板と接続する。一つのＨＤＤボックス２０には、例えば、一段あたり１６個、合計３２個のキャニスタ２１を搭載することができる。ディスクアレイ装置１０には、前面と後面の各面につき各々２個のＨＤＤボックス２０を搭載することができる。つまり、ディスクアレイ装置１０に搭載可能なＨＤＤボックス２０は基本筺体につき４個であり、これをキャニスタ２１の搭載数に換算すると、１２８個である。ＨＤＤボックス２０の前面に向って流れる冷却風は、キャニスタ２１相互間の僅かな隙間を通じてＨＤＤボックス２０内部を流れ、キャニスタ２１から発生する熱を奪い取る。この冷却風はＨＤＤボックス２０の背面基板の通風孔を抜けて、ディスクアレイ装置１０内部のエアダクト１４に流入する。図５に示すように、ディスクアレイ装置１０の天井部には、装置内部をプル方式で強制空冷するための複数のファン１２が設置されている。ファン１２は、その吸引作用によって、エアダクト１４内部を負圧に維持する。ＨＤＤボックス２０の背面基板を透過した冷却風はエアダクト１４内部を上昇し、ファン１２を通過して筺体外部に排気される。尚、ＨＤＤボックス２０の前面に向って流れる冷却風の風速は、例えば、０．４ｍ／ｓ〜１．０ｍ／ｓ程度であり、キャニスタ２１相互間の隙間を流れる冷却風の風速は、例えば、２．０ｍ／ｓ程度である。
【００２３】
図３に示すように、論理基板ボックス３０は、キャニスタ２１を制御する論理基板３１を複数搭載するためのボックスである。論理基板ボックス３０の底面及び頂面は開放されており、通気性を備えている。図５に示すように、ディスクアレイ装置１０の内部には、論理基板ボックス３０の搭載位置の上方にファン１３が配設されており、論理基板ボックス３０の底面から吸気された冷却風を吸引する。これにより、論理基板ボックス３０内部は負圧に維持されている。論理基板ボックス３０内部を流れる冷却風は、論理基板３１の熱を奪いながら上昇し、ファン１３に吸引されてエアダクト１４に導かれる。エアダクト１４に流入した冷却風は更にファン１２に吸引されて筺体外部に排気される。尚、論理基板ボックス３０の底面に流入する冷却風の風速は、例えば、０．４ｍ／ｓ〜１．０ｍ／ｓ程度であり、論理基板３１まわりを流れる冷却風の風速は、例えば、１．５ｍ／ｓ〜２．０ｍ／ｓ程度である。
【００２４】
図４に示すように、給電ボックス４０は、キャニスタ２１や論理基板３１などに電力を供給する電源ユニットを搭載したボックスである。給電ボックス４０の搭載位置の下方には、冷却風を導入するための給気口４１が形成されている。給電ボックス４０内部は通気性を有しており、ファン１２，１３の吸引作用によって負圧に維持されている。給気口４１から給電ボックス４０内部に流入した冷却風は、給電ボックス４０内部で発生した熱を奪いながら上昇し、給電ボックス４０の頂面を通過して、論理ボックス３０の底面に流入する。尚、給気口４１に流入する冷却風の風速は、例えば、０．４ｍ／ｓ〜１．０ｍ／ｓ程度である。
【００２５】
図６は本実施形態の風量調整機構５０の概略構成を示している。風量調整機構５０は、風量調整シート５１、シート展開長調整機構５２、ばたつき防止棒５３、ストッパー部５４、及びケース５５を備えており、ＨＤＤボックス２０の空きスロットに流入する冷却風の風量を調整するための手段として機能する。風量調整機構５０は、シート展開長調整機構５２における風量調整シート５１の巻き込み量を加減することによって、伸縮自在に風量調整シート５１の長さを調整することができる。同図に示すように、風量調整機構５０は、風量調整シート５１の長さをＨＤＤボックス２０の空きスロットの幅方向の長さと同程度に調整し、空きスロットを被覆する。風量調整シート５１は、通気性のある材質で形成されており、風量調整シート５１を透過して空きスロットに流入する冷却風量を調整することができる。風量調整シート５１の長さは、少なくとも、ＨＤＤボックス２０の幅方向の長さ以上に設計されており、風量調整シート５１の幅は、キャニスタ２１の高さと同程度又はそれ以上に設計されている。
【００２６】
ケース５５は、ダミーキャニスタと同程度のサイズを有する枠部材であり、シート展開長調整機構５２を軸止するための手段として機能する。風量調整シート５１は、シート展開長調整機構５２の付勢力によってその長さが縮退する方向に常時付勢されている。風量調整シート５１の終端には、ストッパー部５４が取り付けられている。ストッパー部５４をＨＤＤボックス２０に係止することにより、風量調整シート５１が縮退する方向に巻き込まれるのを防止している。ばたつき防止棒５３は、一定間隔で風量調整シート５１をＨＤＤボックス２０に押さえ付けることによって、風量調整シート５１を透過する冷却風の風圧によって風量調整シート５１がばたつくのを防止している。
【００２７】
図７は風量調整機構５０の詳細構造を示している。図６に示した符号と同一符号の部材は同一の部材を示すものとして、その詳細な説明を省略する。シート展開長調整機構５２は、芯棒５６、シート巻き付け用円筒５７、ぜんまいバネ５８を備えて構成されている。ぜんまいバネ５８は、芯棒５６とシート巻き付け用円筒５７との間に介挿されており、シート巻き付け用円筒５７の回転角（風量調整シート５１の伸縮長）に応じた復元力が作用するように構成されている。芯棒５６の端部は断面半円状の切り欠き部５６ａが形成されており、切り欠き部５６ａをＨＤＤボックス２０の芯棒取り付け孔（図示せず）に挿入することで、芯棒５６が回動しないように、ＨＤＤボックス２０に固定される。風量調整シート５１はシート巻き付け用円筒５７の表面に接着剤等の接合手段により、固着されている。尚、風量調整シート５１には、後述する所定の分布に従って、通風孔５９が開口している。
【００２８】
尚、ディスクアレイ装置１０は高密度実装の方向に向っており、風量調整シート５１のサイズは可能な限りディスクアレイ装置１０に実装可能なサイズであることが望ましい。風量調整機構５０をディスクアレイ装置１０に実装するための条件として、例えば、（１）風量調整機構５０全体の外径が２５ｍｍ以下であること、（２）風量調整シート５１は可能な限り薄いこと、（３）風量調整シート５１は４５０ｍｍ程度であること、を条件とした場合、風量調整シート５１の厚みは０．１ｍｍ程度が好ましい。また、芯棒５６の直径は１０ｍｍ程度が好適である。
【００２９】
図８と図９は風量調整機構５０を透過する風量分布を示している。図８はＨＤＤボックス２０を真上から見たときの模式図であり、図９はＨＤＤボックス２０を正面から見たときの模式図である。上述の如く、空きスロットは空気抵抗が小さいので、空きスロットを開放状態にすると、キャニスタ２１相互間の隙間には殆ど冷却風が流れなくなり、キャニスタ２１を十分に冷却することができない。その一方で、空きスロットを密閉してしまうと、冷却風はキャニスタ相互間の隙間を通じて局所的に流入するので、騒音が増大する。風量調整機構５０はこのような問題を解決するため、風量調整シート５１を透過する冷却風の風量を、空きスロットにダミーキャニスタが実装されているときにダミーキャニスタ相互間を流れる冷却風の風量と同程度に調整する。
【００３０】
ＨＤＤボックス２０に搭載されるキャニスタ２１の搭載順序を、例えば、ボックスの右側から順に左側へと詰めていくものとする。同図に示す例では、２１−１，２１−２，２１−３，２１−４の順にキャニスタを実装していった状態を示している。このとき、図８に示すように、最後に実装したキャニスタ２１−４と風量調整シート５１との間の隙間から流入する冷却風の風量が最も多くなる。そこで、図９に示すように、キャニスタ２１に近接する程、冷却風の透過量（或いは透過速度）を小さくし、キャニスタ２１から離れる程、冷却風の透過量（或いは透過速度）を大きくするのが望ましい。これにより、風量調整シート５１を透過する冷却風の風量分布がほぼ均等化され、空きスロットにダミーキャニスタが実装されている状況とほぼ同程度の状況を作り出すことができる。風量調整シート５１を透過する風量分布を均等化する具体的手段として、例えば、（１）キャニスタ２１側に近接する程、風量調整シート５１の通風孔５９の開口面積を小さくし、キャニスタ２１から離れる程、風量調整シート５１の通風孔５９の開口面積を大きくする、（２）キャニスタ２１側に近接する程、風量調整シート５１の通風孔５９の開口密度を粗くし、キャニスタ２１から離れる程、風量調整シート５１の通風孔５９の開口密度を密にする、等の手段を挙げることができる。図９に示す例では、風量調整シート５１の通風孔形成領域５１ａを略三角形状にし、キャニスタ２１側に近づく程、通風孔５９の開口数が少なくなるように形成されている。尚、５１ｂは通風孔５９が形成されていない領域を示す。
【００３１】
次に、図１０乃至図１３を参照して、風量調整シート５１のばたつきを防止する機構について説明する。風量調整シート５１が冷却風の風圧を受けてばたつくと、騒音が発生したり、或いはディスクアレイ装置１０からの電磁波が漏洩したりする原因になる。風量調整シート５１をＨＤＤボックス２０に係止し、そのばたつきを防止するための係止機構として、例えば、上述の如く、ばたつき防止棒５３を採用する場合には、図１０に示すように、ＨＤＤボックス２０のキャニスタ搭載部に切り欠き部２２を形成し、この切り欠き部２２にばたつき防止棒５３を係止させて、風量調整シート５１のばたつきを抑制するのが好ましい。ばたつき防止棒５３の配置間隔は、例えば、キャニスタ４スロット毎が好適である。或いは、図１１に示すように、風量調整シート５１の端部に係止孔５１ｃを穿孔しておき、この係止孔５１ｃをＨＤＤボックス２０の係止部材（図示せず）に係止させて、風量調整シート５１の張力により、ばたつきを抑制するように構成してもよい。或いは、図１２に示すように、風量調整シート５１の周縁部に係止孔５１ｄを穿孔しておき、この係止孔５１ｄを、例えば図１３に示すような、ＨＤＤボックス２０の係止部材２３に係止させて、風量調整シート５１の張力により、ばたつきを抑制してもよい。係止孔５１ｄの配置間隔は、例えば、キャニスタ２スロット毎が好適である。
【００３２】
尚、風量調整機構５０をＨＤＤボックス２０に実装する態様として、例えば、図１４に示すように、シート展開長調整機構５２とストッパー部５４のそれぞれをケース５５に格納した上で、ＨＤＤボックス２０に実装してもよく、或いは図１５に示すように、シート展開長調整機構５２とストッパー部５４のそれぞれをケース５５に格納することなく、ＨＤＤボックス２０に実装してもよい。
【００３３】
また、ディスクアレイ装置１０は、論理基板３１内の各種の回路素子や給電ボックス４０内の電源供給線等から発生する電磁波が外部に漏洩し、他の電子機器の動作に影響を与える虞がある。また、ディスクアレイ装置１０に近接する他の電子機器から漏洩する電磁波の影響でディスクアレイ装置１０の動作に影響を与える虞もある。ディスクアレイ装置１０では、データの高信頼性が要求されるので、十分な電磁波遮蔽性能が要求される。このため、風量調整シート５１として、例えば、導電シートを採用する等して、従来、電磁波遮蔽効果を有しないＨＤＤボックス２０の前面、論理基板ボックス３０の前面、或いは給電ボックス４０の前面に電磁波遮蔽効果を持たせることができる。
【００３４】
また、ＨＤＤボックス２０の背面基板には、キャニスタ２１とＨＤＤボックス２０を電気的に接続するための手段として、コネクタが実装されている。空きスロットを開放状態のまま放置すると、コネクタに埃が蓄積し、キャニスタ２１実装時に接触不良を起こし兼ねない。そのため、通風孔５９の孔面積は小さくし（例えば、直径１ｍｍ以下）、通風孔５９の数を多くするのが好ましい。
【００３５】
図１６は他の形態における風量調整機構６０の詳細構成を示している。風量調整機構６０は、風量調整シート６１、シート展開長調整機構６２、ばたつき防止棒６３、及びストッパー部６４を備えて構成されている。シート展開長調整機構６２は、芯棒６５、紐６６、及びバネ６７を備えて構成されている。芯棒６５の表面部には風量調整シート６１が接着剤等の接合手段により、固着されている。また、紐６６の一端は芯棒６５に巻回されるように構成され、他端はバネ６７に連結している。風量調整シート６１を伸張する向きに展開させると、紐６６を介してバネ６７が伸びるため、芯棒６５の回転角に応じた復元力が作用する。芯棒６５の直径をＲ１とし、シート展開長調整機構６２の直径をＲ２とすると、Ｒ１：Ｒ２＝（バネ６７の伸び）：（風量調整シート６１の展開長）＝α：１である。αが小さい程、風量調整シート６１の展開長に対してバネ５７の伸びを小さく済ませることがで、バネ６７周りのスペースを小さくできる。尚、風量調整シート６１には、例えば、図９に示すような分布で通風孔６８が開口している。
【００３６】
図１７は論理基板ボックス３０の空きスロットに実装される風量調整機構７０の概略構成を示している。風量調整機構７０は、風量調整シート７１、シート展開長調整機構７２、及びストッパー部７３を備えて構成されており、論理基板ボックス３０の内部を流れる冷却風の風量を、論理基板ボックス３０に論理基板３１が実装されているときに論理基板ボックス３０の内部を流れる冷却風の風量と同程度に調整する。風量調整シート７１のサイズは論理基板３１のサイズと同程度である。尚、風量調整機構７０の詳細構成は、上述した風量調整機構５０又は６０と同様である。同図に示す例では、風量調整機構７０は、単一の論理基板３１の空きスロットのみをカバーするように構成されているが、複数の論理基板３１の空きスロットを被覆するように設計してもよい。
【００３７】
図１８は給電ボックス４０の空きスロットに実装される風量調整機構８０の概略構成を示している。風量調整機構８０は、風量調整シート８１、シート展開長調整機構８２、及びストッパー部８３を備えて構成されており、給電ボックス４０の内部を流れる冷却風の風量を、ディスクアレイ装置１０に給電ボックス４０が実装されているときに給電ボックス４０の内部を流れる冷却風の風量と同程度に調整する。風量調整シート８１のサイズは給電ボックス４０のサイズと同程度である。尚、風量調整機構８０の詳細構成は、上述した風量調整機構５０又は６０と同様である。同図に示す例では、風量調整機構８０は、単一の給電ボックス４０の空きスロットのみをカバーするように構成されているが、複数の給電ボックス４０の空きスロットを被覆するように設計してもよい。
【００３８】
以上説明したように、本実施形態の風量調整機構５０，６０によれば、ＨＤＤボックス搭載スロット一段分を全て被覆することができるので、スロットの段数分だけ風量調整機構５０，６０を用意すればよい。これにより、空きスロットの数だけ必要としていたダミーキャニスタが不要となり、コスト低減を実現できる。
【００３９】
また、従来では、横幅３０ｍｍ×高さ１３０ｍｍ×奥行き１２０ｍｍ程度のサイズのダミーキャニスタをＨＤＤボックス一段あたり１６個必要としていたが、本実施形態の風量調整機構５０，６０によれば、ぜんまいバネ等の復元力を利用して風量調整シート５１，６１を伸張し、ＨＤＤボックス搭載スロット一段分を全て被覆することができる上に、非使用時には、風量調整シート５１，６１をシート展開長調整機構５２，５２に巻回させることで、コンパクトなサイズ（例えば、φ２５ｍｍ×高さ１２５ｍｍ程度）に収容できるので、非使用時の風量調整機構５０，６０の保管スペースは狭くて済む。これにより、管理コストを低減できる。また、非使用時の風量調整機構５０，６０を顧客が捨てるインセンティブが働きにくくなるメリットもある。
【００４０】
また、本実施形態の風量調整機構７０によれば、従来、論理基板３１の空きスロットに実装していた板金製のダミーカバーよりも板金の比率を下げることができるので、風量調整機構７０の質量を従来のダミーカバーよりも軽くすることができる。これにより、ディスクアレイ装置１０の耐震性能の悪化を抑制できる。
【００４１】
また、本実施形態の風量調整機構５０，６０によれば、製品出荷前の試験等の際にダミーキャニスタを実装する手間を大幅に削減することが可能になる。また、風量調整機構５０，６０によれば、空きスロットを容易に被覆することができるので、作業者が風量調整機構５０，６０を使用して、空きスロットの風量調整を行うインセンティブを与えることができる。
【００４２】
また、本実施形態の風量調整機構５０，６０，７０，８０の風量調整シート５１，６１，７１，８１に導電性シートを採用することで、ディスクアレイ装置１０から漏洩する電磁波の遮蔽性能を向上できる。
【図面の簡単な説明】
【００４３】
【図１】本実施形態のディスクアレイ装置の全体斜視図である。
【図２】ＨＤＤボックスの斜視図である。
【図３】論理基板ボックスの斜視図である。
【図４】給電ボックスの斜視図である。
【図５】ディスクアレイ装置の断面図である。
【図６】ＨＤＤボックス用の風量調整機構の概略構成図である。
【図７】風量調整機構の詳細構成図である
【図８】風量調整機構を透過する風量分布の説明図である。
【図９】風量調整機構を透過する風量分布の説明図である。
【図１０】シートのばたつき防止機構の説明図である。
【図１１】シートのばたつき防止機構の説明図である。
【図１２】シートのばたつき防止機構の説明図である。
【図１３】シートのばたつき防止機構の説明図である。
【図１４】風量調整機構の実装態様の説明図である。
【図１５】風量調整機構の実装態様の説明図である。
【図１６】風量調整機構の詳細構成図である。
【図１７】論理基板ボックス用の風量調整機構の概略構成図である。
【図１８】給電ボックス用の風量調整機構の概略構成図である。
【符号の説明】
【００４４】
１０…ディスクアレイ装置  ２０…ＨＤＤボックス  ２１…キャニスタ  ３０…論理基板ボックス  ３１…論理基板  ４０…給電ボックス  ５０…風量調整機構  ５１…風量調整シート  ５２…シート展開長調整機構  ５３…ばたつき防止棒  ５４…ストッパー部  ５５…ケース
【図１】
2006294079.tif 000003
【図２】
2006294079.tif 000004
【図３】
2006294079.tif 000005
【図４】
2006294079.tif 000006
【図５】
2006294079.tif 000007
【図６】
2006294079.tif 000008
【図７】
2006294079.tif 000009
【図８】
2006294079.tif 000010
【図９】
2006294079.tif 000011
【図１０】
2006294079.tif 000012
【図１１】
2006294079.tif 000013
【図１２】
2006294079.tif 000014
【図１３】
2006294079.tif 000015
【図１４】
2006294079.tif 000016
【図１５】
2006294079.tif 000017
【図１６】
2006294079.tif 000018
【図１７】
2006294079.tif 000019
【図１８】
2006294079.tif 000020